(57)【要約】      （修正有）【課題】組立てにかかる時間を短縮して速やかに結合固定することができる、収納棚のクイック組立・位置決め装置を提供する。【解決手段】収納棚のクイック組立・位置決め装置は、支持ラック、側板及び組立ユニット３を備える。支持ラックは、複数の横杆を有する。側板は、支持ラックに結合されるとともに、支持ラックの横杆に対応する貫通孔を有する。組立ユニット３は、位置決め片３１を有する。位置決め片３１は、側板の外側に対応するように固設されるとともに、側板の貫通孔に対応して外方へプレス成形された位置決め部３１１を有する。位置決め部３１１には、位置決め孔３１２が形成され、位置決め片３１の上端縁が下方へ折り曲げられて上結合部３１３が形成される。位置決め片３１に対応した位置決め部３１１には、可動片３２が配設される。【選択図】図２
0003207253.tif 000002
【実用新案登録請求の範囲】
【請求項１】
支持ラック、側板及び組立ユニットを備えた、収納棚のクイック組立・位置決め装置であって、
前記支持ラックは、複数の横杆を有し、
前記側板は、前記支持ラックに結合されるとともに、前記支持ラックの前記横杆に対応する貫通孔を有し、
前記組立ユニットは、位置決め片を有し、前記位置決め片は、前記側板の外側に対応するように固設されるとともに、前記側板の前記貫通孔に対応して外方へプレス成形された位置決め部を有し、前記位置決め部には、位置決め孔が形成され、前記位置決め片の上端縁が下方へ折り曲げられて上結合部が形成され、前記位置決め片に対応した前記位置決め部には、可動片が配設され、前記可動片の中央部には、前記位置決め部の前記位置決め孔に対応した長孔が形成され、前記可動片の両側には、外方へ延びるように翼部が突設され、前記翼部は、前記位置決め部の両側に挿設され、前記翼部の上端縁には、前記上結合部に対応するように下結合部が凹設され、前記可動片の前記長孔と、前記位置決め片の前記位置決め孔とに位置決め部材が挿通されて前記可動片と前記位置決め部とが結合固定され、前記可動片は、前記長孔を介して前記位置決め部に対して上下移動可能であり、前記上結合部と前記下結合部との間に横杆が強固に挟まれ、外れることを防ぐことを特徴とする、
クイック組立・位置決め装置。
【請求項２】
前記側板の底部には、内方へ延びたフック部が突設され、前記側板には、底板が設けられ、前記底板の底部には、前記フック部に対応するように長尺状溝が凹設され、前記底板が前記長尺状溝を介して前記側板の前記フック部に結合されて位置決めされることを特徴とする請求項１に記載のクイック組立・位置決め装置。
【請求項３】
前記側板には、複数の螺着孔が形成され、前記側板の内側に設けた物置ユニットは、前記螺着孔に挿通された螺着部材により螺着固定されることを特徴とする請求項１に記載のクイック組立・位置決め装置。
【考案の詳細な説明】
【技術分野】
【０００１】
本考案は、収納棚のクイック組立・位置決め装置に関し、特に、全体の組立結合過程が簡素で、組立てにかかる時間を短縮し、速やかに結合固定することができるため実用的な収納棚のクイック組立・位置決め装置に関する。
【背景技術】
【０００２】
一般に自宅内又は事務所内では、様々な物、書類を収容したり保管したりするために、各種整理ボックス、キャビネットなどが購入されて使用される。また、物、書類などを分類して収納し易いように、引き出し式の多層収納棚が購入されて使用される。
【０００３】
一般によく見かける多層収納棚は、その構造設計が主に底板の両側に側板が嵌着され、底板及び側板の後方側に裏板が嵌着され、側板上には、頂板が平らに設置されて螺着され、側板内に複数層の収容空間が形成されているため、使用者は物、書類などを容易に収納して保管することができる。
【０００４】
しかし、上述したような収納棚は、物、書類を収納して保管することができたが、実際に使用すると分かるように、収納棚は組立てが容易でなく、組立て過程が煩雑である上、多くの時間がかかるため、その全体構造の設計には依然として改善の余地があった。
【０００５】
そのため、上述したような従来の収納棚の欠点を改善する収納棚のクイック組立・位置決め装置が求められていた。
【考案の概要】
【考案が解決しようとする課題】
【０００６】
本考案の目的は、側板に組立ユニットを設け、側板を指示ラックと組み合わせる結合過程で、支持ラックの横杆が組立ユニットの上下結合部間に強固に挟まれて落下することを防ぎ、全体の組立て結合過程が簡素であるため、組立てにかかる時間を短縮して速やかに結合固定することができる実用的な収納棚のクイック組立・位置決め装置を提供することにある。
【課題を解決するための手段】
【０００７】
上記課題を解決するために、本考案の第１の形態によれば、支持ラック、側板及び組立ユニットを備えた、収納棚のクイック組立・位置決め装置であって、前記支持ラックは、複数の横杆を有し、前記側板は、前記支持ラックに結合されるとともに、前記支持ラックの前記横杆に対応する貫通孔を有し、前記組立ユニットは、位置決め片を有し、前記位置決め片は、前記側板の外側に対応するように固設されるとともに、前記側板の前記貫通孔に対応して外方へプレス成形された位置決め部を有し、前記位置決め部には、位置決め孔が形成され、前記位置決め片の上端縁が下方へ折り曲げられて上結合部が形成され、前記位置決め片に対応した前記位置決め部には、可動片が配設され、前記可動片の中央部には、前記位置決め部の前記位置決め孔に対応した長孔が形成され、前記可動片の両側には、外方へ延びるように翼部が突設され、前記翼部は、前記位置決め部の両側に挿設され、前記翼部の上端縁には、前記上結合部に対応するように下結合部が凹設され、前記可動片の前記長孔と、前記位置決め片の前記位置決め孔とに位置決め部材が挿通されて前記可動片と前記位置決め部とが結合固定され、前記可動片は、前記長孔を介して前記位置決め部に対して上下移動可能であり、前記上結合部と前記下結合部との間に横杆が強固に挟まれ、外れることを防ぐことを特徴とするクイック組立・位置決め装置が提供される。
【０００８】
前記側板の底部には、内方へ延びたフック部が突設され、前記側板には、底板が設けられ、前記底板の底部には、前記フック部に対応するように長尺状溝が凹設され、前記底板が前記長尺状溝を介して前記側板の前記フック部に結合されて位置決めされることが好ましい。
【０００９】
前記側板には、複数の螺着孔が形成され、前記側板の内側に設けた物置ユニットは、前記螺着孔に挿通された螺着部材により螺着固定されることが好ましい。
【考案の効果】
【００１０】
本考案の収納棚のクイック組立・位置決め装置は、組立てにかかる時間を短縮して速やかに結合固定することができる。
【図面の簡単な説明】
【００１１】
【図１】本考案の一実施形態に係る収納棚のクイック組立・位置決め装置を示す斜視図である。
【図２】本考案の一実施形態に係る収納棚のクイック組立・位置決め装置の組立ユニットを示す分解斜視図である。
【図３】本考案の一実施形態に係る収納棚のクイック組立・位置決め装置の組立ユニットの別の角度からの分解斜視図である。
【図４】本考案の一実施形態に係る収納棚のクイック組立・位置決め装置の組立ユニットを示す斜視図である。
【図５】本考案の一実施形態に係る収納棚のクイック組立・位置決め装置を示す断面図である。
【図６】本考案の一実施形態に係る収納棚のクイック組立・位置決め装置を示す断面図である。
【図７】本考案の一実施形態に係る収納棚のクイック組立・位置決め装置の全体構造を示す斜視図である。
【考案を実施するための形態】
【００１２】
以下、本考案の実施形態について図に基づいて説明する。なお、これによって本考案が限定されるものではない。
【００１３】
図１を参照する。図１に示すように、本考案の一実施形態に係る収納棚のクイック組立・位置決め装置は、少なくとも支持ラック１、側板２、組立ユニット３及び底板４から構成されてなる。
【００１４】
支持ラック１は、複数の横杆１１を有する。
【００１５】
側板２は、支持ラック１に結合され、支持ラック１の横杆１１に対応するように貫通孔２１が形成される上、側板２の底部には内方へ延びたフック部２２が突設され、側板２には複数の螺着孔２３が形成される。
【００１６】
図２及び図３を参照する。図２は、本考案の一実施形態に係る収納棚のクイック組立・位置決め装置の組立ユニットを示す分解斜視図である。図３は、本考案の一実施形態に係る収納棚のクイック組立・位置決め装置の組立ユニットの別の角度からの分解斜視図である。
図２及び図３に示すように、本考案の一実施形態に係る収納棚のクイック組立・位置決め装置は、位置決め片３１を有する。位置決め片３１は、側板２の外側に対応するように固設されるとともに、貫通孔２１に対応して外方へプレス成形された位置決め部３１１を有する。位置決め部３１１には、位置決め孔３１２が形成され、位置決め片３１の上端縁が下方へ折り曲げられて上結合部３１３が形成される。
位置決め片３１に対応した位置決め部３１１には、可動片３２が配設される。可動片３２の中央部には、位置決め部３１１の位置決め孔３１２に対応した長孔３２１が形成される。可動片３２の両側には、外方へ延びるように翼部３２２が突設される。翼部３２２は、位置決め部３１１の両側に挿設され、翼部３２２の上端縁には、上結合部３１３に対応するように下結合部３２３が凹設される。可動片３２の長孔３２１と、位置決め片３１の位置決め孔３１２とに位置決め部材３３が挿通されて可動片３２と位置決め部３１１とが結合固定される（図４を参照する）。
【００１７】
底板４の底部には、側板２のフック部２２に対応するように長尺状溝４１が凹設され、底板４が長尺状溝４１を介して側板２のフック部２２に結合されて位置決めされる。
【００１８】
図５を参照する。図５は、本考案の一実施形態に係る収納棚のクイック組立・位置決め装置を示す断面図である。図５に示すように、側板２が組立ユニット３の位置決め片３１と結合された後、位置決め部材３３を側板２の貫通孔２１に挿通してから、可動片３２の長孔３２１と、位置決め片３１の位置決め孔３１２とに挿通し、可動片３２と位置決め部３１１とが結合固定されると、支持ラック１の横杆１１が位置決め片３１の上結合部３１３と可動片３２の下結合部３２３との間に挟まれる。
可動片３２は、長孔３２１と、位置決め部３１１の位置決め孔３１２とを介し、位置決め部材３３を利用して結合し、可動片３２は、長孔３２１により制限された範囲内で位置決め部３１１が上下移動し、上結合部３１３と下結合部３２３との間に横杆１１を強固に挟んで外れないようにし（図６を参照する）、側板２と支持ラック１とを強固に結合する。
【００１９】
図７を参照する。図７は、本考案の一実施形態に係る収納棚のクイック組立・位置決め装置の全体構造を示す斜視図である。底板４の底部には、側板２のフック部２２に対応するように長尺状溝４１が凹設され、側板２と支持ラック１とを結合固定した後、底板４は、長尺状溝４１を介して側板２のフック部２２と結合されて位置決めされ、２つの側板２間に底板４を強固に結合固定してから、底板４上に物置ユニット５を設置し、側板２に螺着孔２３が形成され、螺着孔２３に挿通された螺着部材により物置ユニット５が螺着固定される。
【００２０】
上述したことから分かるように、本考案の収納棚のクイック組立・位置決め装置は、側板に組立ユニットが配設され、側板を支持ラックと組み合わせて結合する過程で、支持ラックの横杆が直接、組立ユニットの上下結合部間に挟まれて落下することを防ぎ、全体の組立て結合過程が簡素である。このため、組立てにかかる時間が短縮され、スピーディに結合固定することができて実用的である。
【符号の説明】
【００２１】
１      支持ラック
２      側板
３      組立ユニット
４      底板
５      物置ユニット
１１    横杆
２１    貫通孔
２２    フック部
２３    螺着孔
３１    位置決め片
３２    可動片
３３    位置決め部材
４１    長尺状溝
３１１  位置決め部
３１２  位置決め孔
３１３  上結合部
３２１  長孔
３２２  翼部
３２３  下結合部
【図１】
0003207253.tif 000003
【図２】
0003207253.tif 000004
【図３】
0003207253.tif 000005
【図４】
0003207253.tif 000006
【図５】
0003207253.tif 000007
【図６】
0003207253.tif 000008
【図７】
0003207253.tif 000009